(57)【要約】      （修正有）【課題】首および肩（特に僧帽筋）を同時に按摩可能なマッサージ器を提供する。【解決手段】台座１１に組み付けられており、モータ２１と、モータの軸心から外側に延びる二つの伝動軸２２と、を有する伝動モジュール２０と、台座の両側に取り付けられており、第一ギア３１と、第二ギア３２と、をそれぞれ備え、第一ギアは伝動軸と連結し、第一ギアは第二ギアと噛合い、第二ギアの軸心に出力軸３４が設けられている二つのギア組３０と、第一按摩コンポーネント４１と、斜め回転盤４２と、を備え、斜め回転盤は出力軸に嵌め設けられており、斜め回転盤に環状溝４２１が設けられており、第一按摩コンポーネントにリング４１１が設けられており、第一按摩コンポーネントの一側には、二組の第一按摩ヘッド４１２が上方に延び、リングは、規制されて斜め回転盤の環状溝に嵌合されており、リングの上方に押え片４３が設けられている二つの第一按摩ヘッドモジュール４０と、を含む。【選択図】図２
0003212347.tif 000002
【実用新案登録請求の範囲】
【請求項１】
台座に組み付けられており、モータと、前記モータの軸心から外側に延びる二つの伝動軸と、を有する伝動モジュールと、
前記台座の両側に取り付けられており、第一ギアと、第二ギアと、をそれぞれ備え、前記第一ギアは前記伝動軸と連結し、前記第一ギアは前記第二ギアと噛合い、前記第二ギアの軸心に出力軸が設けられており、前記台座に上蓋が締め付けられており、前記上蓋には、二つの穿孔と、二つの組合部とが設けられており、前記出力軸は、前記上蓋の前記二つの穿孔を挿通して前記上蓋の外部に延びる二つのギア組と、
第一按摩コンポーネントと、斜め回転盤と、備え、前記斜め回転盤は前記出力軸に嵌め設けられており、前記斜め回転盤に環状溝が設けられており、前記第一按摩コンポーネントにリングが設けられており、前記第一按摩コンポーネントの一側には、二組の第一按摩ヘッドが上方に延び、前述リングは、規制されて前記斜め回転盤の環状溝に嵌合されており、前記第一按摩コンポーネントの傍に突起が設けられており、前記上蓋にレールが設けられており、前記レールにより前記突起を差し込み可能であり、前記リングの上方に押え片が設けられており、前記押え片が前記リングを押さえることにより、リングは、前記斜め回転盤と共に、円弧形の経路に沿って揺動する二つの第一按摩ヘッドモジュールと、
を含む、首及び肩を按摩するマッサージ器において、
前記台座の前端に二つの第二按摩ヘッドモジュールが設けられており、二つの前記第二按摩ヘッドモジュールは、その下方に一つ以上の接合部材が設けられている偏心揺動アームと、偏心押え片と、を備え、前記偏心押え片には、前記第二ギアの軸と連接する接合穴と、前記偏心揺動アームの前記接合部材と結合する一つ以上の連動穴とが設けられており、前記偏心揺動アームの中段にスライド溝が設けられており、前記第一ギアの軸心は、前記スライド溝に差し込んで前記台座と結合し、前記偏心揺動アームの末端に連結部が設けられており、前記上蓋が前記台座を被った後、前記第一ギアの軸心は前記上蓋の二つの前記組合部を挿通し、前記軸心と結合する前記組合部に転向アームが嵌め設けられており、揺動アーム按摩ヘッド部の下端は、前記偏心揺動アームの前記連結部の軸と連接し、前記揺動アーム按摩ヘッド部の中段は前記転向アーム軸と連接し、前記揺動アーム按摩ヘッド部の上端に第二按摩ヘッドが設けられており、
これにより、モータを起動した後、前記ギア組が稼動して前記第二ギアが前記偏心揺動アームを駆動して偏心ストロークに沿って揺動を行い、前記第一ギアと前記スライド溝との規制効果により、前記偏心揺動アームは繰り返して左右に揺動する動作を行い、前記揺動アーム按摩ヘッド部は、前記偏心揺動アームと前記転向アームとに駆動されて、円弧形の経路に沿って揺動を行うことを特徴するマッサージ器。
【請求項２】
前記揺動アーム按摩ヘッド部と前記連結部との連結箇所にガイドレールが設けられているため、前記揺動アーム按摩ヘッド部の上昇および降下の按摩動作が生じることを特徴とする、請求項１に記載のマッサージ器。
【請求項３】
前記第一按摩ヘッドの軸は、前記第一按摩コンポーネントに嵌め設けられていることにより、按摩するときに、前記第一按摩ヘッドと前記第二按摩ヘッドとがスライドし、按摩動作が更に快適となることを特徴とする、請求項１に記載のマッサージ器。
【請求項４】
前記第一按摩ヘッドと前記第二按摩ヘッドとの内部は、加熱装置を備え、前記加熱装置により、按摩時に人体を加熱して血液の循環を促進可能であることを特徴とする、請求項１に記載のマッサージ器。
【請求項５】
前記台座の両側には、帯が外側に延びることを特徴とする、請求項１に記載のマッサージ器。
【考案の詳細な説明】
【技術分野】
【０００１】
本考案は、マッサージ器に関し、特に、首および肩（特に僧帽筋）を同時に按摩可能なマッサージ器に関するものである。
【背景技術】
【０００２】
例えば、特許文献１の中華民国発明第Ｉ５４１０１５号の按摩装置が提案された。このような按摩装置は、擦り按摩部材と、挟み按摩部材と、回転軸と、擦り駆動部と、挟み駆動部と、を有する。擦り按摩部材の前端は擦り施療子を備える。挟み按摩部材は、擦り按摩部材の基端側に設けられており、その前端に挟み施療子が設けられている。挟み按摩部材は、挟み按摩部材の挟み施療子を擦り施療子に繰り返して近接して離れることにより、挟み按摩を行う。回転軸は、左右方向に延びる軸に駆動される。擦り駆動部は、回転軸の回転による駆動力により、擦り按摩部材を揺動し、擦り按摩部材による擦り按摩を行う。挟み駆動部は、回転軸の回転による駆動力により、挟み施療子を擦り施療子に繰り返して近接して離れる。挟み駆動部は、偏心するように回転軸に取り付けられており、その外周面にカム面が形成される挟みボス部と、挟みボス部のカム面に嵌め込まれ、回転による駆動力を取る環状嵌合部と、その基端が環状嵌合部と連接し、その前端が挟み按摩部材と連接し、回転による駆動力を挟み按摩部材に伝達するクランクシャフト部材と、を備える。挟み按摩部材は、その基端が、挟み施療子が設けられている前端に対して、擦り按摩部材に、左右方向に沿う軸を中心として回動自在に枢着されている。クランクシャフト部材の前端は、擦り按摩部材の中段に、左右方向に沿う軸を中心として回動自在に連結されている。
【０００３】
上記の構造は、按摩椅子の背当りに適用され可能であり、人体を按摩可能であるが、体積が大きく、且つ構造が複雑である。
【０００４】
また、特許文献２の中華民国発明第１０４１４１２３３号の按摩装置が提案された。このような按摩装置は、前端に第一施療コンポーネントが設けられている第一按摩コンポーネントと、前端に第二施療コンポーネントが設けられている第二按摩コンポーネントと、第一按摩コンポーネントと第二按摩コンポーネントとを揺動することによる按摩動作を行うマッサージ機構と、を有する。マッサージ機構は、第一施療コンポーネントが第二施療コンポーネントに繰り返して近接して離れるように、第一施療コンポーネントを駆動する。
【０００５】
上記の構造は、第一按摩コンポーネントと第二按摩コンポーネントとにより、左右側から人体（例えば首、肩、足および背）を按摩する。しかしながら、上記の構造は、首またはその付近の部位だけを按摩可能であり、人体の痛い箇所を同時に按摩することができない。例えば上記の構造は、首だけを按摩可能であり、例えば僧帽筋などの部位を按摩できない。これにより、按摩の効果は大幅に降下する。そして上記の構造は、体積が大きく、重量が重いため、お年寄り、女性や子供に対して、利用が不便である。
【０００６】
また、特許文献３の中華民国実用新案第Ｍ４９２７３４号が提案された。このような按摩装置は、体積がより小さく、利用が便利である。第一按摩ヘッド組と二按摩ヘッド組とは、それぞれ第一、第二斜め回転盤と、第一、第二伝動軸と、第一、第二按摩ヘッド部とから構成される。第二斜め回転盤の底面に円弧形槽が設けられている。円弧形槽のエッジに第一、第二抵制面が形成される。第二伝動軸の上端に押付けブロックが設けられている。モータの正転の動力が第二伝動軸に伝達すると、押付けブロックが第一抵制面に押付けることにより、第二按摩ヘッドモジュールが押付けられて駆動される。このように、第一、第二按摩ヘッド組は、対称的な挟み及び揉みの按摩動作を行う。モータの逆転の動力が第二伝動軸に伝達すると、押付けブロックが円弧形槽を経由して第二抵制面に着いて、第二按摩ヘッドモジュールを押付けて駆動することにより、第二按摩ヘッドモジュールと第一按摩ヘッドモジュールとは、非対称的なマッサージ動作を行う。上記の構造は、体積が小さく、利用が便利であり、このような構造を基礎として、僧帽筋などの部位を更に按摩可能なマッサージ機構を開発すればよい。
【先行技術文献】
【特許文献】
【０００７】
【特許文献１】中華民国発明第Ｉ５４１０１５号公報
【特許文献２】中華民国発明第１０４１４１２３３号公報
【特許文献３】中華民国実用新案第Ｍ４９２７３４号公報
【考案の概要】
【考案が解決しようとする課題】
【０００８】
本考案の目的は、按摩の方式が互いに異なる第一按摩ヘッド部と第二按摩ヘッド部とを設けることにより、人体を十分に按摩可能なマッサージ器を提供することにある。
【課題を解決するための手段】
【０００９】
本考案のマッサージ器によると、台座に組み付けられており、モータと、モータの軸心から外側に延びる二つの伝動軸と、を有する伝動モジュールと、
台座の両側に取り付けられており、第一ギアと、第二ギアと、をそれぞれ備え、第一ギアは伝動軸と連結し、第一ギアは第二ギアと噛合い、第二ギアの軸心に出力軸が設けられており、台座に上蓋が締め付けられており、上蓋には、二つの穿孔と、二つの組合部とが設けられており、出力軸は、上蓋の二つの穿孔を挿通して上蓋の外部に延びる二つのギア組と、
第一按摩コンポーネントと、斜め回転盤と、備え、斜め回転盤は出力軸に嵌め設けられており、斜め回転盤に環状溝が設けられており、第一按摩コンポーネントにリングが設けられており、第一按摩コンポーネントの一側には、二組の第一按摩ヘッドが上方に延び、リングは、規制されて斜め回転盤の環状溝に嵌合されており、第一按摩コンポーネントの傍に突起が設けられており、上蓋にレールが設けられており、レールにより突起を差し込み可能であり、リングの上方に押え片が設けられており、押え片がリングを押さえることにより、リングは、斜め回転盤と共に、円弧形の経路に沿って揺動する二つの第一按摩ヘッドモジュールと、
を含む、首及び肩を按摩するマッサージ器において、
台座の前端に二つの第二按摩ヘッドモジュールが設けられており、二つの第二按摩ヘッドモジュールは、その下方に一つ以上の接合部材が設けられている偏心揺動アームと、偏心押え片と、を備え、偏心押え片には、第二ギアの軸と連接する接合穴と、偏心揺動アームの接合部材と結合する一つ以上の連動穴とが設けられており、偏心揺動アームの中段にスライド溝が設けられており、第一ギアの軸心は、スライド溝に差し込んで台座と結合し、偏心揺動アームの末端に連結部が設けられており、上蓋が台座を被った後、第一ギアの軸心は上蓋の二つの組合部を挿通し、軸心と結合する組合部に転向アームが嵌め設けられており、揺動アーム按摩ヘッド部の下端は、偏心揺動アームの連結部の軸と連接し、揺動アーム按摩ヘッド部の中段は転向アーム軸と連接し、揺動アーム按摩ヘッド部の上端に第二按摩ヘッドが設けられており、
これにより、モータを起動した後、ギア組が稼動して第二ギアが偏心揺動アームを駆動して偏心ストロークに沿って揺動を行い、第一ギアとスライド溝との規制効果により、偏心揺動アームは左右に揺動する往復動作を行い、揺動アーム按摩ヘッド部は、偏心揺動アームと転向アームとに駆動されて、円弧形の経路に沿って揺動を行うことを特徴する。
【００１０】
本考案のマッサージ器によると、揺動アーム按摩ヘッド部と連結部との連結箇所にガイドレールが設けられているため、揺動アーム按摩ヘッド部の上昇および降下の按摩動作が生じることを特徴とする。
【００１１】
本考案のマッサージ器によると、第一按摩ヘッドの軸は、第一按摩コンポーネントに嵌め設けられていることにより、按摩するときに、第一按摩ヘッドと第二按摩ヘッドとがスライドし、按摩動作が更に快適となることを特徴とする。
【００１２】
本考案のマッサージ器によると、第一按摩ヘッドと第二按摩ヘッドとの内部は、加熱装置を備え、加熱装置により、按摩時に人体を加熱して血液の循環を促進可能であることを特徴とする。
【００１３】
本考案のマッサージ器によると、台座の両側には、帯が外側に延びることを特徴とする。
【考案の効果】
【００１４】
本考案のマッサージ器によれば、按摩の方式が互いに異なる第一按摩ヘッド部と第二按摩ヘッド部とを設けることにより、人体の首および肩（特に僧帽筋）を同時に按摩可能であるという効果を有する。
【図面の簡単な説明】
【００１５】
【図１】本考案に係るマッサージ器の構造を示す斜視図である。
【図２】本考案に係るマッサージ器の構造を示す分解斜視図である。
【図３】本考案に係る第一按摩ヘッドモジュールの按摩動作を示す模式図である。
【図４】本考案に係る第一按摩ヘッドモジュールの按摩動作を示す模式図である。
【図５】本考案に係る偏心揺動アームの按摩動作を示す模式図である。
【図６】本考案に係る偏心揺動アームの按摩動作を示す模式図である。
【図７】本考案に係る偏心揺動アームの按摩動作を示す模式図である。
【図８】本考案に係る偏心揺動アームの按摩動作を示す模式図である。
【図９】本考案に係る揺動アーム按摩ヘッド部の按摩動作を示す模式図である。
【図１０】本考案に係る揺動アーム按摩ヘッド部の按摩動作を示す模式図である。
【図１１】本考案に係る揺動アーム按摩ヘッド部の按摩動作を示す模式図である。
【考案を実施するための形態】
【００１６】
以下、本考案の実施の形態を図面に基づいて説明する。
【００１７】
図１から図４を参照する。本考案に係るマッサージ器は、伝動モジュール２０と、二つのギア組３０と、二つの第一按摩ヘッドモジュール４０と、を備える。伝動モジュール２０は、台座１１に組み付けられている。伝動モジュール２０は、モータ２１と、モータ２１の軸心から外側に延びる二つの伝動軸２２と、を有する。二つのギア組３０は、台座１１の両側に取り付けられており、第一ギア３１と、第二ギア３２と、をそれぞれ備える。第一ギア３１は伝動軸２２と連結する。第一ギア３１は第二ギア３２と噛合う。第二ギア３２の軸心に出力軸３４が設けられている。台座１１に上蓋１２が締め付けられている。上蓋１２には、二つの穿孔１２１と、二つの組合部１２２とが設けられている。出力軸３４は、上蓋１２の二つの穿孔１２１を挿通して上蓋１２の外部に延びる。二つの第一按摩ヘッドモジュール４０は、第一按摩コンポーネントと、斜め回転盤４２と、を備える。斜め回転盤４２は出力軸３４に嵌め設けられている。斜め回転盤４２に環状溝４２１が設けられている。第一按摩コンポーネント４１にリング４１１が設けられている。第一按摩コンポーネント４１の一側には、二組の第一按摩ヘッド４１２が上方に延びる。第一按摩ヘッド４１２が第一按摩コンポーネント４１に嵌合されて固定するため、按摩の過程中に、第一按摩ヘッド４１２がスライド可能である。これにより、按摩の過程中に、ユーザは不快な感じをすることはない。更に、第一按摩ヘッド４１２の内部には、更に、加熱装置４１３が設けられている。加熱装置４１３により、按摩の過程中に、人体を加熱して血液の循環を促進可能である。リング４１１は、規制されて斜め回転盤４２の環状溝４２１に嵌合されている。第一按摩コンポーネント４１の傍に突起４１４が設けられている。上蓋１２にレール１３が設けられている。レール１３により、突起４１４を差し込み可能である。リング４１１の上方に押え片４３が設けられている。押え片４３がリング４１１を押さえることにより、リング４１１は、斜め回転盤４２と共に、円弧形の経路に沿って揺動する。これにより、モータ２１を起動した後、ギア組３０が出力軸３４を駆動して回転させる。斜め回転盤４２の設計により、第一按摩ヘッドモジュール４０は、回転しながら、波のように左右に揺動する。これにより、人体の首を按摩可能である。
【００１８】
図１、図２及び図５から図１１を参照する。次に、本考案に係るマッサージ器の特徴を説明する。台座１１の前端に二つの第二按摩ヘッドモジュール５０が設けられている。二つの第二按摩ヘッドモジュール５０は、偏心揺動アーム５１と、偏心押え片５２と、を備える。偏心揺動アーム５１の下方に一つ以上の接合部材５１１が設けられている。偏心押え片５２には、第二ギア３２の軸と連接する接合穴５２１と、偏心揺動アーム５１の接合部材５１１と結合する一つ以上の連動穴５２２とが設けられている。偏心揺動アーム５１の中段にスライド溝５１２が設けられている。第一ギア３１の軸心３３は、スライド溝５１２を挿通して台座１１と結合する。偏心揺動アーム５１の末端に連結部５１３が設けられている。上蓋１２が台座１１を被った後、第一ギア３１の軸心３３は上蓋１２の二つの組合部１２２を挿通して外部に延びる。組合部１２２に転向アーム５３が嵌め設けられている。揺動アーム按摩ヘッド部５４の下端は、偏心揺動アーム５１の連結部５１３の軸と連接する。揺動アーム按摩ヘッド部５４の下端にガイドレール５４１が設けられている。モータ２１を起動したと、揺動アーム按摩ヘッド部５４は上昇及び降下の動作を行う。揺動アーム按摩ヘッド部５４の中段は転向アーム５３の軸と連接する。揺動アーム按摩ヘッド部５４の上端に第二按摩ヘッド５４２が設けられている。これにより、モータ２１を起動したと、ギア組３０が稼動されて、第二ギア３２が偏心揺動アーム５１を駆動して、偏心ストロークにおいて揺動を行う。第一ギア３１とスライド溝５１２との規制効果により、偏心揺動アーム５１が繰り返して左右に揺動する。揺動アーム按摩ヘッド部５４は、偏心揺動アーム５１と転向アーム５３とに駆動されて、台座１１の前端に平行するように円弧形の経路に沿って揺動する。これにより、使用時に、第二按摩コンポーネントは、人体の例えば僧帽筋などの部位に対して按摩を行うことが可能である。本考案に係るマッサージ器によれば、従来の構造が特定の部位を同時に按摩できないという欠点を解決可能であり、利用が極めて便利である。
【００１９】
本考案の別の実施の形態では、台座１１の両側に帯が延びられている。前記帯にベルクロが設けられている。帯を設けることにより、本考案に係るマッサージ器をユーザの按摩しようとする部位に固定可能である。これにより、本考案に係るマッサージ器による按摩を受け可能である。
【００２０】
本考案に係るマッサージ器によれば、第一按摩ヘッドモジュール４０と第二按摩ヘッドモジュール５０とにより、人体を十分に按摩可能である。
【００２１】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【符号の説明】
【００２２】
１１  台座
１２  上蓋
１３  レール
２０  伝動モジュール
２１  モータ
２２  伝動軸
３０  ギア組
３１  第一ギア
３２  第二ギア
３３  軸心
３４  出力軸
４０  第一按摩ヘッドモジュール
４１  第一按摩コンポーネント
４２  斜め回転盤
４３  押え片
５０  第二按摩ヘッドモジュール
５１  偏心揺動アーム
５２  偏心押え片
５３  転向アーム
５４  揺動アーム按摩ヘッド部
１２１  穿孔
１２２  組合部
４１１  リング
４１２  第一按摩ヘッド
４１３  加熱装置
４１４  突起
４２１  環状溝
５１１  接合部材
５１２  スライド溝
５１３  連結部
５２１  接合穴
５２２  連動穴
５４１  ガイドレール
５４２  第二按摩ヘッド
【図１】
0003212347.tif 000003
【図２】
0003212347.tif 000004
【図３】
0003212347.tif 000005
【図４】
0003212347.tif 000006
【図５】
0003212347.tif 000007
【図６】
0003212347.tif 000008
【図７】
0003212347.tif 000009
【図８】
0003212347.tif 000010
【図９】
0003212347.tif 000011
【図１０】
0003212347.tif 000012
【図１１】
0003212347.tif 000013